(57)【要約】      （修正有）【課題】動力源、伝動装置、複数の左右移動装置及び複数の上下叩き装置を含む、左右移動及び上下叩きを行うマッサージ装置を提供する。【解決手段】伝動装置には単方向軸受を設け、正転の時、上下叩き装置５０の方向に空転させる。左右移動装置には単方向軸受を設け、逆転の時、偏心カム４８の回転なしに定点伝動を行う。動力源２０から出力される動力は、伝動装置を経て正転で左右移動装置に伝達されると、左右移動装置が左右に移動しながら回転してマッサージを行う。また、逆転で前記上下叩き装置５０に伝達されると、上下叩きを行い、また逆転で前記左右移動装置に伝達されると、定点で回転してマッサージを行う。【選択図】図１
2014042670.tif 000002
【特許請求の範囲】
【請求項１】
左右移動及び上下叩きを行うマッサージ装置であって、
前記第１モーターの回転心軸に第１歯車を固定し、前記第１歯車により回転のための動力を伝達して、正転または逆転する第１モーターを動力源とする動力源と、
第１回転軸を含み、第１回転軸に第２歯車を設けて前記第１モーターの前記第１歯車とかみ合わせて動かし、前記第２歯車一体の第３歯車の伝動により第２回転軸に設けられた第５、６歯車を減速させ、前記第２回転軸の第６歯車とかみ合わせることにより前記第１回転軸の第７歯車を動かし、前記第７歯車一体の第８歯車とかみ合わせることにより前記第２回転軸の第４歯車を動かし、これにより必要な速度を減速して前記第２回転軸を回転させるようにし、また前記第７、８歯車に第１単方向軸受を固定し、さらに前記第１単方向軸受を前記第１回転軸に固定することにより、逆転時のみ前記第１回転軸を回転させ、そして第１回転軸により上下叩き装置を作動させる伝動装置と、
長管状の軸カバーを含み、前記軸カバーの非円形の内孔を対応する非円形の第２回転軸と相互にスライドさせることにより、左右移動時でも第２回転軸から前記軸カバーへの動力伝達に影響せず、また、前記軸カバー末端にマッサージボールセットを作動させる第９歯車を動かす傘歯車を設け、また前記第９歯車と第１０歯車をかみ合わせて動かし、さらに前記第１０歯車と第１１歯車をかみ合わせて動かし、また前記第１１歯車の内孔に設けた第２単方向軸受の内孔に偏心カムと回転軸があり、前記偏心カムと軸心を台座前後の楕円形孔内のみに限定して設けることで、左右移動にともなって前記偏心カムがスムーズに回転するようにし、前記第２単方向軸受が回転方向変更時に定点回転によるマッサージか左右移動及び回転によるマッサージをコントロールすることができるようにした左右移動装置と、
複数のタイミングベルト、ベルトリングセットを含み、複数のベルトリングがそれぞれ第１回転軸及び第３回転軸に固定され、前記ベルトリング間にタイミングベルトがセットされ、前記第３回転軸末端にクランクも設けて連接棒とつなぎ、前記連接棒を駆動レバーとつないで、前記駆動レバーを前記マッサージボールにつないで、前記第一回転軸の回転により前記タイミングベルト、ベルトリングセットを回転させ、前記第３回転軸を回転させ、前記マッサージボールの上下叩きを作動させる複数の上下叩き装置を有し、
これに基いて、前記伝動装置には前記第一単方向軸受を設け、正転の時、上下叩き装置の方向に空転させ、前記左右移動装置に第２単方向軸受を設け、逆転の時、偏心カムの回転なしに定点伝動を行い、前記動力源から出力される動力が前記伝動装置を経て正転で前記左右移動装置に伝達されると、前記左右移動装置が左右に移動しながら回転してマッサージを行い、逆転で前記上下叩き装置に伝達されると、上下叩きを行い、また逆転で前記左右移動装置に伝達されると、定点で回転してマッサージを行うことを特徴とする、左右移動及び上下叩きを行うマッサージ装置。
【請求項２】
前記台座の下方に前記台座を固定するための底ケースを設けたことを特徴とする請求項１に記載の左右移動及び上下叩きを行うマッサージ装置。
【請求項３】
前記台座の上方及び前記動力源、前記伝動装置、前記左右移動装置、前記上下叩き装置の上を上部ケース及び上部フレームで固定し、前記上部ケース及び前記上部フレームにより前記動力源、前記伝動装置、前記左右移動装置、前記上下叩き装置を保護することを特徴とする請求項１に記載の左右移動及び上下叩きを行うマッサージ装置。
【請求項４】
前記マッサージ装置の前方に、第２モーター及び前記第２モーターのウォームで動く第１２歯車を含む前後移動走行装置を設け、第１３歯車と前記第１２歯車をかみ合わせて動かし、第１４歯車と前記第１３歯車をかみ合わせて動かし、前記第１４歯車とラックをかみ合わせ、前記ラックを前記底ケースに固定し、前記台座の前後移動の制限のために第１検出器スイッチ及び第２検出器スイッチを設ける。前記前後移動走行装置は、前記マッサージ装置を前記ラックの方向に移動させ、垂直に取り付ければ昇降し、水平に取り付ければ水平に移動することを特徴とする請求項２に記載の左右移動及び上下叩きを行うマッサージ装置。
【請求項５】
前記マッサージ装置をクッション内部に取り付けて、前記クッションをマッサージクッションとして使用することができることを特徴とする請求項１に記載の左右移動及び上下叩きを行うマッサージ装置。
【請求項６】
前記マッサージ装置を背部クッション内部に取り付けて、前記背部クッションを背部マッサージクッションとして使用することができることを特徴とする請求項１に記載の左右移動及び上下叩きを行うマッサージ装置。
【請求項７】
前記マッサージ装置をマッサージ椅子のクッション位置内部または背部クッション位置内部に取り付けて、前記マッサージ椅子にマッサージ機能を持たせたことを特徴とする請求項１に記載の左右移動及び上下叩きを行うマッサージ装置。
【発明の詳細な説明】
【技術分野】
【０００１】
本発明は、マッサージ機の技術分野に関し、特に技術上、伝動する回転方向を変更することにより、楽にマッサージの方法を変更することができることを特徴とする左右移動及び上下叩きを行うマッサージ装置を提供する。
【背景技術】
【０００２】
人体の構造は大変複雑であり、骨、血、肉以外に、非常に重要な筋絡、穴位、関節などがあるが、日常生活において完全に活動させることが難しく、局部の過度な運動により痛みを引き起こすおそれがあるほか、長期間活動していない部分に血路の不順や閉塞などが発生するおそれもある。時々全身マッサージすることは、長期間活動していない部分を少しでも活動させ、過度な運動による局部の痛みを緩和して、身体の健康維持に役立つ。
【０００３】
マッサージは人手とマッサージ機によって行うことができるが、人力によるマッサージはマッサージ人員と時間と場所を約束する必要があるうえ、費用も高く、時間制限があるなど、不便な点がある。また、従来のマッサージ機でマッサージを行うと、マッサージ方法が簡易すぎるため、全身に使用することができなかったり、人手と組み合わせて行う必要があり、労力を浪費するだけでなく、一人の痛みの緩和により他者に痛みが発生することになる。
【０００４】
そこで、上記の従来の構造に存在する問題点を克服する実用性の高い新構造の開発が大きく期待されており、関連業者にとっても新製品開発の目標と方向になっている。
よって、発明者は長年関連製品の製造、開発と設計に従事した経験をもって、上記の目標について、詳細な設計と慎重な評価を行った後、実用性を有する本発明を提供する。
【発明の概要】
【発明が解決しようとする課題】
【０００５】
本発明の主な目的は左右移動及び上下叩きを行うマッサージ装置を提供することである。前記マッサージ装置の動力源により、正転の時、左右移動装置を左右に移動させ、同時に左右に移動させながら回転してマッサージを行う。前記マッサージ装置の動力源により、逆転の時、前記上下叩き装置を上下に動かしてマッサージを行うと同時に、左右移動装置を定点で回転させてマッサージを行う。
【課題を解決するための手段】
【０００６】
上記目的を達成するために、本発明は、動力源、伝動装置、複数の左右移動装置、複数の上下叩き装置で左右移動及び上下叩きを行うマッサージ装置を構成している。前記伝動装置には単方向軸受を設け、正転の時、上下叩き装置の方向に空転させる。前記動力源から出力される動力は、前記伝動装置を経て正転で前記左右移動装置に伝達されると、前記左右移動装置が左右に移動しながら回転してマッサージを行う。また、逆転で前記上下叩き装置に伝達されると、上下叩きを行い、また逆転で前記左右移動装置に伝達されると、定点で回転してマッサージを行う。
【０００７】
上記目的を達成するために、本発明は、回転心軸に第１歯車を固定し、前記第１歯車により回転のための動力を伝達して、正転または逆転する第１モーターを動力源として、左右移動及び上下叩きを行うマッサージ装置を構成している。
【０００８】
上記目的を達成するために、第１回転軸を含み、前記第１回転軸に第２歯車を設けて前記第１モーターの前記第１歯車とかみ合わせて動かし、前記第２歯車一体の第３歯車の伝動により第２回転軸に設けられた第５、６歯車を減速させ、前記第２回転軸の第６歯車とかみ合わせることにより前記第１回転軸の第７歯車を動かし、前記第７歯車一体の第８歯車とかみ合わせることにより前記第２回転軸の第４歯車を動かし、これにより必要な速度を減速させて前記第２回転軸を回転させるようにし、また前記第７、８歯車に第１単方向軸受を固定し、さらに前記第１単方向軸受を前記第１回転軸に固定することにより、逆転時のみ前記第１回転軸を回転させ、そして第１回転軸により上下叩き装置を作動させる伝動装置により、左右移動及び上下叩きを行うマッサージ装置を構成している。
【０００９】
上記の目的を達成するために、本発明は、長管状の軸カバーを含み、前記軸カバーの非円形の内孔を対応する非円形の第２回転軸と相互にスライドさせることにより、左右移動時でも第２回転軸から前記軸カバーへの動力伝達に影響せず、また、前記軸カバー末端にマッサージボールセットを作動させる第９歯車を動かす傘歯車を設け、また前記第９歯車と第１０歯車をかみ合わせて動かし、さらに前記第１０歯車と第１１歯車をかみ合わせて動かし、また前記第１１歯車の内孔に設けた第２単方向軸受の内孔に偏心カムと回転軸があり、前記偏心カムと軸心を台座前後の楕円形孔内のみに限定して設けることで、左右移動にともなって前記偏心カムがスムーズに回転するようにし、前記第２単方向軸受が回転方向変更時に定点回転によるマッサージか左右移動及び回転によるマッサージをコントロールすることができるようにした左右移動装置で、左右移動及び上下叩きを行うマッサージ装置を構成している。
【００１０】
上記の目的を達成するために、本発明は、複数のタイミングベルト、ベルトリングセットを含み、前記ベルトリングがそれぞれ第１回転軸及び第３回転軸に固定され、前記第３回転軸末端にクランクも設けて連接棒とつなぎ、前記連接棒を駆動レバーとつないで前記駆動レバーを前記マッサージボールにつなぎ、前記第３回転軸の回転により前記マッサージボールの上下叩きを作動させる上下叩き装置で、左右移動及び上下叩きを行うマッサージ装置を構成している。
【００１１】
本発明に採用した技術、手段及びその効果に関して、本発明の上記の目的、構造、特徴をよりよく理解できるように、最良の実施例を、図式を組み合わせて詳細に説明する。
【図面の簡単な説明】
【００１２】
【図１】本発明実施例を示す立体分解概略図。
【図２】本発明実施例の一部を示す立体分解概略図。
【図３】本発明の左右移動装置の移動状態を示す概略図。
【図４】本発明の上下叩き装置の上下叩き動作を示す概略図。
【図５】本発明のクッションへの実施を示す概略図。
【図６】本発明の背部クッションへの実施を示す概略図。
【図７】本発明のマッサージ椅子への実施を示す概略図。
【発明を実施するための形態】
【００１３】
本発明は、左右移動及び上下叩きを行うマッサージ装置の設計を提供する。
【００１４】
本発明の目的、特徴及び効果をよりよく理解できるように、実施例と図式により以下のとおり説明する。
【００１５】
図１、図２は本発明の左右移動及び上下叩きを行うマッサージ装置の概略図である。前記マッサージ装置１０は動力源２０、伝動装置３０、複数の左右移動装置４０及び複数の上下叩き装置５０を含み、前記伝動装置３０に第１単方向軸受３４を設け、正転の時、上下叩き装置５０の方向に空転させる。前記左右移動装置４０には第２単方向軸受４５を設け、逆転の時、偏心カム４８の回転なしに定点伝動を行う。前記動力源２０から出力される動力は前記伝動装置３０を経て正転で前記左右移動装置４０に伝達されると、前記左右移動装置４０が左右に移動しながら回転してマッサージを行う。また、逆転で前記上下叩き装置５０に伝達されると、上下叩きを行い、また逆転で前記左右移動装置４０に伝達されると、定点で回転してマッサージを行う。
【００１６】
図１から図７は、本発明の左右移動及び上下叩きを行うマッサージ装置の概略図である。本発明は、回転心軸２２に第一歯車２３を固定し、前記第一歯車２３により回転のための動力を伝達して、正転または逆転する第一モーター２１を動力源２０とする。
【００１７】
また、第１回転軸３１を含み、前記第１回転軸３１に第２歯車３２を設けて前記第１モーター２１の前記第１歯車２３とかみ合わせて動かし、前記第２歯車３２一体の第３歯車３２１の伝動により第２回転軸３３に設けられた第５、６歯車３３１、３３２を減速させ、前記第２回転軸３３の第６歯車３３２とかみ合わせることにより前記第１回転軸３１の第７歯車３１１を動かし、前記第７歯車３１１一体の第８歯車３１２とかみ合わせることにより前記第２回転軸３３の第４歯車３３３を動かし、これにより必要な速度を減速させて前記第２回転軸３３を回転させるようにし、また前記第７、８歯車３１１、３１２に第１単方向軸受３４を固定し、さらに前記第１単方向軸受３４を前記第１回転軸３１に固定することにより、逆転時のみ前記第１回転軸３１を回転させ、そして第１回転軸３１により上下叩き装置を作動させる伝動装置３０で、左右移動及び上下叩きを行うマッサージ装置５０を構成する。
【００１８】
長管状の軸カバー４１を含み、前記軸カバー４１の非円形の内孔４１１を対応する非円形の第２回転軸３３と相互にスライドさせることにより、左右移動時でも第２回転軸３３から前記軸カバー４１への動力伝達に影響せず、また、前記軸カバー４１末端にマッサージボールセット４４を作動させる第９歯車４３を動かす傘歯車４２を設け、前記第９歯車４３と第１０歯車４６とかみ合わせ、さらに前記第１０歯車４６を第１１歯車４７とかみ合わせ、また前記第１１歯車４７の内孔に設けた第２単方向軸受４５の内孔に偏心カム４８と回転軸４８１があり、前記偏心カム４８と軸心４８２を台座１１前後の楕円形孔１１１内のみに限定して設けることで、左右移動にともなって前記偏心カム４８がスムーズに回転するようにし、前記第２単方向軸受４５が回転方向変更時に定点回転によるマッサージか左右移動及び回転によるマッサージをコントロールすることができるようにした左右移動装置４０で、左右移動及び上下叩きを行うマッサージ装置５０を構成する。
【００１９】
複数のタイミングベルト、ベルトリングセット５１を含み、前記ベルトリング５１１、５１２をそれぞれ第１回転軸３１及び第３回転軸５２に固定し、前記ベルトリング５１１、５１２間にタイミングベルト５１３をセットし、前記第３回転軸５２末端にクランク５３も設けて連接棒５４とつなぎ、前記連接棒５４を駆動レバー５５とつないで、前記駆動レバー５５を前記マッサージボール５６につないで、前記第一回転軸３１の回転によりタイミングベルト、ベルトリングセット５１を回転させ、前記マッサージボール５６の上下叩きを作動させる上下叩き装置５０で構成する。
【００２０】
前記台座１１の下方に前記台座１１を固定するための底ケース１２を設ける。
【００２１】
前記台座１１の上方及び前記動力源２０、前記伝動装置３０、前記左右移動装置４０、前記上下叩き装置５０の上は、上部ケース１３及び上部フレーム１４で固定し、前記上部ケース１３及び前記上部フレーム１４により前記動力源２０、前記伝動装置３０、前記左右移動装置４０、前記上下叩き装置５０を保護する。
【００２２】
前記マッサージ装置１０の前方に第２モーター６１及び前記第２モーター６１のウォーム６２で動く第１２歯車６３を含む前後移動走行装置６０を設け、第１３歯車６４と前記第１２歯車６３をかみ合わせ、第１４歯車６５と前記第１３歯車６４をかみ合わせ、前記第１４歯車６５とラック６６をかみ合わせる。そして前記ラック６６を底ケース１２に固定し、前記台座１１の前後移動の制限のために第１検出器スイッチ６７及び第２検出器スイッチ６８を設ける。前記前後移動走行装置６０は前記マッサージ装置１０を前記ラック６６の方向に移動させ、垂直に取り付ければ昇降し、水平に取り付ければ、水平に移動する。
【００２３】
前記マッサージ装置１０はクッション７０内部に取り付けて、前記クッション７０をマッサージクッションとして使用することができる。
【００２４】
前記マッサージ装置１０は背部クッション７１内部に取り付けて、前記背部クッション７１を背部マッサージクッションとして使用することができる。
【００２５】
前記マッサージ装置１０はマッサージ椅子７２のクッション位置内部または背部クッション位置内部に取り付けて、前記マッサージ椅子７２にマッサージ機能を持たせることができる。
【００２６】
前記から分かるように、本発明の左右移動及び上下叩きを行うマッサージ装置は、業界初の試みであるとともに、特許の条件である新規性を満たすものであり、またその全体の革新的設計は、特許の条件である進歩性を満たすものである。そして、そのマッサージ装置の動力源は正転により左右移動装置を左右に移動させると同時に左右に移動しながら回転させてマッサージを行う。前記マッサージ装置の動力源は逆転により前記上下叩き装置が上下叩きを行うと同時に、左右移動装置を定点で回転させてマッサージを行うものであり、産業上の利用可能性もある。
前記は本発明の技術と特徴を具体的に説明する実施例である。しかし、この技術を熟知する人は本発明の精神と原則の範囲内において、本発明に対する変更と訂正を行うことができ、前記変更、訂正は、以下の特許請求の範囲に含まれるものとする。
【００２７】
以上、本発明が提供する左右移動及び上下叩きを行うマッサージ装置は、本発明のすべての目的を達成するものであり、またその組立、構造の空間形態が同種の製品には見られず、出願公開されてもおらず、特許法の規定と一致しているので、法に基いて出願する。
【符号の説明】
【００２８】
１０      マッサージ装置
１１      台座
１１１    楕円形孔
１２      底ケース
１３      上部ケース
１４      上部フレーム
２０      動力源
２１      第１モーター
２２      回転心軸
２３      第１歯車
３０      伝動装置
３１      第１回転軸
３１１    第７歯車
３１２    第８歯車
３２      第２歯車
３２１    第３歯車
３３      第２回転軸
３３１    第５歯車
３３２    第６歯車
３３３    第４歯車
３４      第１単方向軸受
４０      左右移動装置
４１      軸カバー
４１１    内孔
４２      傘歯車
４３      第９歯車
４４      マッサージボールセット
４５      第２単方向軸受
４６      第１０歯車
４７      第１１歯車
４８      偏心カム
４８１    回転軸
４８２    軸心
５０      上下叩き装置
５１      タイミングベルト、ベルトリングセット
５１１    ベルトリング
５１２    ベルトリング
５１３    タイミングベルト
５２      第３回転軸
５３      クランク
５４      連接棒
５５      駆動レバー
５６      マッサージボール
６０      前後移動走行装置
６１      第２モーター
６２      ウォーム
６３      第１２歯車
６４      第１３歯車
６５      第１４歯車
６６      ラック
６７      第１検出器スイッチ
６８      第２検出器スイッチ
７０      クッション
７１      背部クッション
７２      マッサージ椅子
【図１】
2014042670.tif 000003
【図２】
2014042670.tif 000004
【図３】
2014042670.tif 000005
【図４】
2014042670.tif 000006
【図５】
2014042670.tif 000007
【図６】
2014042670.tif 000008
【図７】
2014042670.tif 000009